(57)【要約】      （修正有）【課題】異なる仕様の電力監視装置を有していても、データの送受信手順が共通であり、異常解析に必要なデータの収集または整理のための時間を短縮することができる電力監視制御システムおよび電力監視制御システム用プログラムを提供する。【解決手段】複数の電力監視装置１ａ〜１ｎ及び制御装置２を有する電力監視制御システムにおいて、複数の電力監視装置は、異常検出部と、異常関連データを記憶する第１の記憶部と、共通の手順にて送信を行う第１の制御部と、異常関連データのうち、第１の記憶部に記憶された異常関連データを送信する第１の送受信部と、を備える。制御装置２は、複数の電力監視装置の第１の送受信部から送信された異常関連データを、共通の手順にて受信する第２の送受信部２１と、異常関連データを複数の電力監視装置１ごとに蓄積して記憶する第２の記憶部２３と、を備える。【選択図】図１
2018121167.tif 000002
【特許請求の範囲】
【請求項１】
複数の電力監視装置および制御装置を有する電力監視制御システムであって、
前記電力監視装置の異常を検出する異常検出部と、
前記異常に関連する異常関連データを記憶する第１の記憶部と、
前記複数の電力監視装置で共通の手順にて送信を行う第１のプログラムが設定された第１の制御部と、
前記第１の制御部に設定された前記第１のプログラムの前記手順により、前記異常関連データのうち、前記第１の記憶部に記憶された異常関連データを送信する第１の送受信部と、
を備えた複数の電力監視装置と、
前記複数の電力監視装置の前記第１の送受信部から送信された異常関連データを、前記複数の電力監視装置で共通の手順にて受信する第２の送受信部と、
前記第２の送受信部により受信された前記設定された異常関連データを前記複数の電力監視装置ごとに蓄積して記憶する第２の記憶部と、
を備えた制御装置と、
を有する電力監視制御システム。
【請求項２】
前記制御装置の前記第２の記憶部には、前記複数の電力監視装置ごとのプログラム言語で構成された、前記複数の電力監視装置で共通の手順にて送信を行う第１のプログラムが記憶され、
前記第１のプログラムは前記第２の送受信部から送信され、
前記複数の電力監視装置は、前記第１の送受信部を介して前記第１のプログラムを受信し、
前記第１の送受信部を介して受信した前記第１のプログラムを前記第１の制御部に設定する、
請求項１記載の電力監視制御システム。
【請求項３】
前記制御装置の前記第２の記憶部には、前記複数の電力監視装置ごとに、異常関連データのうち、送信すべき異常関連データの項目が記憶され、前記制御装置は、前記第２の記憶部に記憶された前記送信すべき異常関連データの項目を前記第２の送受信部を介し前記複数の電力監視装置に送信し、
前記電力監視装置は、前記送信すべき異常関連データの項目を前記第１の送受信部を介し受信し、前記送信すべき異常関連データの項目に合致した異常関連データを設定された異常関連データとして前記第１の記憶部に記憶する、請求項１乃至２のいずれか１項記載の電力監視制御システム。
【請求項４】
前記制御装置の前記第２の記憶部には、前記複数の電力監視装置ごとの異常検出部により検出される異常とされる異常値の設定値が記憶され、前記制御装置は、前記第２の記憶部に記憶された前記設定値を前記第２の送受信部を介し前記複数の電力監視装置に送信し、
前記複数の電力監視装置は、前記設定値を前記第１の送受信部を介し受信し、前記第１の記憶部に記憶し、前記異常検出部は、前記第１の記憶部に記憶された前記設定値に基づき異常を検出する、請求項１乃至３のいずれか１項記載の電力監視制御システム。
【請求項５】
前記複数の電力監視装置は、異常検出部が異常を検出した時に、前記第１の記憶部に記憶された異常関連データのうち前記設定された異常関連データを、前記第１の送受信部から送信する、請求項１乃至４のいずれか１項記載の電力監視制御システム。
【請求項６】
前記制御装置から前記電力監視装置の前記異常関連データを受信する第３の送受信部と、
前記電力監視装置の前記異常関連データに応じた対策案が記憶された第３の記憶部と、を備え、
前記第３の記憶部に記憶された前記対策案のうち、前記第３の送受信部により受信された異常関連データに応じた対策案を選択する、
端末装置を有する
請求項１乃至５のいずれか１項記載の電力監視制御システム。
【請求項７】
選択された前記対策案に対し、作業者により修正案が入力された場合は、前記修正案が、前記第３の記憶部に蓄積して記憶される、請求項６記載の電力監視制御システム。
【請求項８】
複数の電力監視装置の第１の記憶部に記憶された異常関連データのうち設定された異常関連データを、前記複数の電力監視装置で共通の手順にて受信するステップと、
受信した前記設定された異常関連データを前記複数の電力監視装置ごとに第２の記憶部に、蓄積して記憶させるステップと、
を有する電力監視制御システム用プログラム。
【請求項９】
前記制御装置の前記第２の記憶部に記憶された、前記複数の電力監視装置ごとのプログラム言語で構成され、前記複数の電力監視装置で共通の手順にて送信を行う第１のプログラムを送信するステップを有する、
請求項８記載の電力監視制御システム用プログラム。
【発明の詳細な説明】
【技術分野】
【０００１】
本実施形態は送電線の監視制御を行う電力監視制御システムおよび電力監視制御システム用プログラムに関する。
【背景技術】
【０００２】
電力を安定供給するために送電設備に監視制御システムが設置される。この種の電力監視制御システムとしては、系統保護のために送変電設備の電気量を計測し監視制御を行うシステムが知られている。
【先行技術文献】
【特許文献】
【０００３】
【特許文献１】特開２０１３−１６５４２０公報
【発明の概要】
【発明が解決しようとする課題】
【０００４】
電力を供給する送電設備には主回路機器の制御、系統保護、計測を行う各種の電気設備制御装置が接続される。これらの電気設備制御装置にはさらに、この電気設備制御装置の監視制御を行う電力監視装置が接続される。通常、電力監視装置は、この電力監視装置自身の異常を検出する異常検出部を備えている。これらの電力監視装置は、装置ごと、メーカごとに異なるハードウェアおよびソフトウェア仕様を有している。従って、検出された電力監視装置自身の異常に関するデータの送信項目または送信手順は、電力監視装置ごとにまちまちであった。
【０００５】
このため、電力監視装置の異常解析に必要なデータが送信されない場合があった。必要なデータが送信されない場合は、作業者が電力監視装置の設置場所に行き、直接電力監視装置から必要なデータを収集する。通常、電力監視装置は、無人の配電盤に設置されている。遠方に設置された電力監視装置へ作業者が往復する場合、往復時間も含め必要なデータの収集に多大な時間が必要とされた。
【０００６】
また、電力監視装置ごとにデータの送信手順が異なるために、必要なデータの整理に多大な時間が必要とされた。
【０００７】
電力監視装置は、電気設備制御装置の監視制御を行うものであり、電力監視装置の異常は、早期に解消されることが必要とされる。従って、上記のような、異常解析に必要なデータの収集または整理のための時間遅れは、不都合であった。
【０００８】
本実施形態は、異なる仕様の電力監視装置を有していても、データの送受信手順が共通であり、異常解析に必要なデータの収集または整理のための時間を短縮することができる電力監視制御システムおよび電力監視制御システム用プログラムを提供することを目的とする。
【０００９】
【課題を解決するための手段】
【００１０】
本実施形態の電力監視制御システムは次のような構成を有することを特徴とする。
（１）以下を備えた複数の電力監視装置。
（１−１）前記電力監視装置の異常を検出する異常検出部。
（１−２）前記異常に関連する異常関連データを記憶する第１の記憶部。
（１−３）前記複数の電力監視装置で共通の手順にて送信を行う第１のプログラムが設定された第１の制御部。
（１−４）前記第１の制御部に設定された前記第１のプログラムの前記手順により、前記異常関連データのうち、前記第１の記憶部に記憶された設定された異常関連データを送信する第１の送受信部。
（２）以下を備えた制御装置。
（２−１）前記複数の電力監視装置の前記第１の送受信部から送信された前記設定された異常関連データを、前記複数の電力監視装置で共通の手順にて受信する第２の送受信部。
（２−２）前記第２の送受信部により受信された前記設定された異常関連データを前記複数の電力監視装置ごとに蓄積して記憶する第２の記憶部。
【図面の簡単な説明】
【００１１】
【図１】実施形態にかかる電力監視制御システムを示す図
【図２】実施形態にかかる電力監視制御システムの制御装置２の動作フローを示す図
【図３】実施形態にかかる電力監視制御システムの電力監視装置１の記憶データを示す図
【図４】実施形態にかかる電力監視制御システムの制御装置２の記憶データを示す図
【図５】実施形態にかかる電力監視制御システムの端末装置３の動作フローを示す図
【図６】実施形態にかかる電力監視制御システムの端末装置３の記憶データを示す図
【発明を実施するための形態】
【００１２】
［第１実施形態］
［１−１．構成］
図１を参照して本実施形態の一例として、電鉄受変電システムにおける電力監視制御システムについて説明する。
【００１３】
（１）システムの全体構成
本電力監視制御システムは、送電設備９に設置された電力監視装置１（１ａ，１ｂ、１ｎ）、制御装置２および端末装置３を有する。電力監視装置１（１ａ，１ｂ、１ｎ）、制御装置２および端末装置３は、通信線８にて接続される。送電設備９は、電力会社から受電した電力を列車に供給するための設備であり、電気設備制御装置９ａ，９ｂ，９ｎを含む。この電気設備制御装置は、主回路機器の制御を行う連動ＰＬＣ（プログラマブルロジックコントロール）盤、系統保護を行う保護継電器盤、系統の電気量を計測する計測盤等の機器である。電力監視装置１（１ａ，１ｂ、１ｎ）は、これらの電気設備制御装置に接続され配置される。
【００１４】
本電力監視制御システムにおいて、以下のデータが、入力、出力、送受信または記憶される。
ａ１．送信手順に関するプログラム
ａ２．送信すべき異常関連データの項目
ａ３．異常と判断する設定値
ｂ１．異常関連データ
ｂ２．設定された異常関連データ
ｃ１．異常関連データに応じた対策案
ｃ２．対策案に対する修正案
【００１５】
（２）電力監視装置１
複数台の電力監視装置１（１ａ，１ｂ、１ｎ）は、それぞれ送電設備９の電気設備制御装置９ａ，９ｂ，９ｎに接続され、電気設備制御装置の近傍または同じ盤内に配置される。電力監視装置１（１ａ，１ｂ、１ｎ）は、電気設備制御装置の監視制御を行うための装置である。
【００１６】
電力監視装置１（１ａ，１ｂ、１ｎ）は、電力監視装置ごとに仕様が異なるが、ハードウェアとしてのブロック構成は同じである。電力監視装置１（１ａ，１ｂ、１ｎ）は、電力監視装置１自身の異常を検出し、設定された異常関連データを制御装置に送信する。
【００１７】
電力監視装置１ａを例として、電力監視装置１の構成を説明する。電力監視装置１ａは、異常検出部１１ａ、第１の制御部１２ａ（以下、制御部１２ａと総称する）、第１の記憶部１３ａ（以下、記憶部１３ａと総称する）、および第１の送受信部１４ａ（以下、送受信部１４ａと総称する）を有する。
【００１８】
異常検出部１１ａは、消費電流、温度を感知するセンサを含む検出回路により構成される。電力監視装置１ａは、機能ブロックごとに区分された複数の回路基板（図中不示）を有しており、この回路基板ごとの消費電流および温度が異常検出部１１ａに入力される。異常検出部１１ａの出力側は、制御部１２ａに接続される。異常検出部１１ａは、複数の回路基板ごとの消費電流および温度の異常を検出し制御部１２ａに出力する。
【００１９】
制御部１２ａは、マイクロコンピュータにより構成される。制御部１２ａは、異常検出部１１ａ、記憶部１３ａ、および送受信部１４ａに接続される。制御部１２ａは、以下の演算および制御を行う。
【００２０】
（Ａ）制御部１２ａへの設定
制御部１２ａ内に以下のプログラムを設定する。
ａ１．送信手順に関するプログラム
このａ１．「送信手順に関するプログラム」が、請求項中の第１のプログラムに相当する。
【００２１】
（Ｂ）記憶部１３ａに対する制御
記憶部１３ａに、以下のデータを記憶させる。
ａ２．送信すべき異常関連データの項目
ａ３．異常と判断する設定値
ｂ１．異常関連データ
ｂ２．設定された異常関連データ
【００２２】
ｂ１．「異常関連データ」には以下のデータが含まれる。
ｂ１１．異常項目
ｂ１２．異常項目の異常値
ｂ１３．異常に関連するデータログ
ｂ１４．異常に関連する画面のスクリーンショット
ｂ１５．状態検出用発光ダイオードの点灯状態
【００２３】
（Ｃ）異常検出部１１ａに対する制御
異常検出部１１ａに対し以下を出力する。
ａ３．異常と判断する設定値
異常検出部１１ａに対し以下の異常検出を指示する。
ｄ１．回路基板ごとの消費電流異常
ｄ２．回路基板ごとの温度異常
【００２４】
（Ｄ）送受信部１４ａに対する制御
記憶部１３ａに記憶された上記のｂ２のデータを、ａ１．「送信手順に関するプログラム」に基づきｂ１１，ｂ１２，ｂ１３，ｂ１４，ｂ１５の順で送信するよう送受信部１４ａを制御する。制御装置２から、上記のａ１，ａ２，ａ３のデータを受信するように送受信部１４ａを制御する。
【００２５】
なお、上記のａ１，ａ２およびａ３のデータは、電力監視装置１ａ，１ｂおよび１ｎごとに異なる。
【００２６】
記憶部１３ａは、半導体メモリやハードディスクのような記憶媒体にて構成される。記憶部１３ａは、制御部１２ａによりデータの記憶および読出しが制御される。記憶部１３ａは、上記のａ２，ａ３，ｂ１およびｂ２のデータを記憶する。
【００２７】
送受信部１４ａは、送受信回路により構成される。送受信部１４ａは、一方が制御部１２ａに、他方が通信線８に接続される。送受信部１４ａは、制御部１２ａにより制御され、ｂ２のデータをｂ１１，ｂ１２，ｂ１３，ｂ１４，ｂ１５の順で送信し、上記のａ１，ａ２およびａ３のデータを受信する。
【００２８】
（３）制御装置２
制御装置２は、パーソナルコンピュータ等により構成される。制御装置２は、電力の監視制御を行う制御室等に配置される。
【００２９】
制御装置２は、第２の送受信部２１（以下、送受信部２１と総称する）、第２の制御部２２（以下、制御部２２と総称する）、第２の記憶部２３（以下、記憶部２３と総称する）、出力部２４、入力部２５を有する。
【００３０】
送受信部２１は、送受信回路により構成される。送受信部２１は、一方が制御部２２に、他方が通信線８に接続される。
送受信部２１は、電力監視装置１に対し、以下のデータを送信する。
ａ１．送信手順に関するプログラム
ａ２．送信すべき異常関連データの項目
ａ３．異常と判断する設定値
送受信部２１は、電力監視装置１から、以下のデータを受信する。
ｂ２．設定された異常関連データ
送受信部２１は、端末装置３に対し、以下のデータを送信する。
ｂ３．異常データ
【００３１】
制御部２２は、マイクロコンピュータにより構成される。制御部２２は、後述するコンピュータプログラムを内蔵する。制御部２２は、送受信部２１、記憶部２３、出力部２４および入力部２５に接続される。制御部２２は、以下の演算および制御を行う。
（Ａ）送受信部２１に対する制御
制御部２２は、送受信部２１を介し電力監視装置１に対し、以下のデータを送信する。
ａ１．送信手順に関するプログラム
ａ２．送信すべき異常関連データの項目
ａ３．異常と判断する設定値
制御部２２は、送受信部２１を介し電力監視装置１から、以下のデータを受信する。
ｂ２．設定された異常関連データ
制御部２２は、送受信部２１を介し端末装置３に対し、以下のデータを送信する。
ｂ３．異常データ
（Ｂ）記憶部２３に対する制御
制御部２２は、記憶部２３に以下のデータを記憶させる。
ａ１．送信手順に関するプログラム
ａ２．送信すべき異常関連データの項目
ａ３．異常と判断する設定値
ｂ２．設定された異常関連データ
ｂ３．異常データ
（Ｃ）出力部２４に対する制御
制御部２２は、記憶部２３に記憶された上記のｂ２およびｂ３のデータを出力するよう出力部２４を制御する。
（Ｄ）入力部２５に対する制御
制御部２２は、作業者により入力された上記のａ１，ａ２およびａ３のデータを、入力部２５を介し取得する。
【００３２】
記憶部２３は、半導体メモリやハードディスクのような記憶媒体にて構成される。記憶部２３は、制御部２２によりデータの記憶および読出しが制御される。記憶部２３は、上記のａ１，ａ２，ａ３，ｂ２およびｂ３のデータを記憶する。
【００３３】
出力部２４は、液晶表示器等の表示装置により構成される。出力部２４は、制御部２２により表示が制御される。出力部２４は、上記のｂ２およびｂ３のデータを表示する。
【００３４】
入力部２５は、キーボード等の入力装置により構成される。入力部２５は、制御部２２に接続される。入力部２５は、作業者により上記のａ１，ａ２およびａ３のデータが入力される。
【００３５】
（４）端末装置３
端末装置３は、パーソナルコンピュータ等により構成される。端末装置３は、電力ユーザの事務所等に配置される。
【００３６】
端末装置３は、第３の送受信部３１（以下、送受信部３１と総称する）、第３の制御部３２（以下、制御部３２と総称する）、第３の記憶部３３（以下、記憶部３３と総称する）、出力部３４、入力部３５を有する。端末装置３のハードウェアとしてのブロック構成は、制御装置２と同じである。以下に端末装置３固有の部分につき説明する。
【００３７】
送受信部３１は、制御装置２から、以下のデータを受信する。
ｂ３．異常データ
【００３８】
制御部３２は、以下の演算および制御を行う。
（Ａ）送受信部３１に対する制御
制御部３２は、送受信部３１を介し制御装置２から、以下のデータを受信する。
ｂ３．異常データ
（Ｂ）記憶部３３に対する制御
制御部３２は、記憶部３３に以下のデータを、電力監視装置１ごとに区分けして記憶させる。
ｂ３．異常データ
ｃ１．異常データに応じた対策案
ｃ２．対策案に対する修正案
（Ｃ）出力部３４に対する制御
制御部３２は、記憶部３３に記憶された上記のｃ１，ｃ２のデータを出力するよう出力部３４を制御する。
（Ｄ）入力部３５に対する制御
制御部３２は、上記ｃ２のデータが作業者により入力された場合は、上記のｃ２のデータを、入力部３５を介し取得する。
【００３９】
記憶部３３は、上記のｂ３，ｃ１およびｃ２のデータを記憶する。
【００４０】
出力部３４は、上記のｂ３，ｃ１およびｃ２のデータを表示する。
【００４１】
入力部３５は、作業者により上記のｃ２のデータが入力される。
【００４２】
（５）通信線８
通信線８は、イーサネットにより構成されたデータ送受信用の回線である。通信線８は、電力監視装置１の送受信部１４、制御装置２の送受信部２１、端末装置３の送受信部３１に接続される。
【００４３】
［１−２．作用］
次に、本実施形態の電力監視制御システムの動作を図１〜６に基づき説明する。
【００４４】
（１）電力監視装置１の作用
本実施形態の電力監視制御システムの電力監視装置１の動作を説明する。
送電設備９に設置前の初期状態において、電力監視装置１ａの記憶部１３ａには、初期状態のプログラムおよび「送信すべき異常関連データの項目」「異常と判断する設定値」の初期値が記憶されている。各電力監視装置１は、送電設備９の異なる電気設備制御装置９ａ，９ｂ，９ｎの監視制御を行うための装置であり、異なる機能を有するとともに異なるメーカにより製造される場合がある。従って、電力監視装置１ａの記憶部１３ａに記憶されている、初期状態のプログラムに基づき異常データの送信を行った場合、データの送受信手順、保存形式、保存場所が電力監視装置１ごとに異なる。
【００４５】
最初に、電力監視装置１ａは、送受信部１４ａを介し、図３（Ａ）に示すａ１「送信手順に関するプログラム」を制御装置２から受信し、制御部１２ａに設定する。このａ１「送信手順に関するプログラム」は、各電力監視装置１に対応した異なるプログラム言語で作成されている。また、ａ１「送信手順に関するプログラム」は、各電力監視装置１に共通した、データの送受信手順、保存形式、保存場所となるように作成されている。なお共通の保存場所とは、ネット上のサーバのアドレスが共通であることを意味する。
【００４６】
ａ１「送信手順に関するプログラム」は、ｂ１「異常関連データ」を以下の順に送信するようにプログラミングされている。
ｂ１１．異常項目
ｂ１２．異常項目の異常値
ｂ１３．異常に関連するデータログ
ｂ１４．異常に関連する画面のスクリーンショット
ｂ１５．状態検出用発光ダイオードの点灯状態
【００４７】
次に、電力監視装置１ａは、送受信部１４ａを介し、図３（Ｂ）に示すａ２「送信すべき異常関連データの項目」、図３（Ｃ）に示すａ３「異常と判断する設定値」を制御装置２から受信し、記憶部１３ａに記憶させる。このａ２「送信すべき異常関連データの項目」は、電力監視装置１ごとに必要とされるデータ項目が選択される。ａ３「異常と判断する設定値」は、異常と判断するための閾値の設定値である。上記ａ２およびａ３のデータは、システムの運転中であっても、必要に応じ、更新される。
【００４８】
送電設備９に電力監視装置１ａが設置された直後の状態では、ａ２「送信すべき異常関連データの項目」として、上記ｂ１１，ｂ１２，ｂ１３，ｂ１４，ｂ１５にかかるデータの最大限が、設定されることが望ましい。
【００４９】
電力監視装置１ａの異常検出部１１ａは、逐次、ａ３「異常と判断する設定値」のデータに基づき、ｄ１「回路基板ごとの消費電流異常」、ｄ２「回路基板ごとの温度異常」を検出する。異常検出部１１ａにより異常が検出された場合、ｂ１「異常関連データ」が記憶部１３ａに記憶される。ｂ１「異常関連データ」は、前述のｂ１１，ｂ１２，ｂ１３，ｂ１４，ｂ１５のデータを有する。
【００５０】
電力監視装置１ａの制御部１２ａは、ｂ１「異常関連データ」のうち、ａ２「送信すべき異常関連データの項目」に合致するデータを選択し、ｂ２「設定された異常関連データ」として記憶部１３ａに記憶させる。
【００５１】
ｂ２「設定された異常関連データ」は、ａ１「送信手順に関するプログラム」に基づき、各電力監視装置１共通の手順にて制御装置２に送信される。ｂ２「設定された異常関連データ」は、ｂ１１，ｂ１２，ｂ１３，ｂ１４，ｂ１５の順で送信される。ｂ１１，ｂ１２，ｂ１３，ｂ１４，ｂ１５のうちｂ２「設定された異常関連データ」に含まれないデータは、スキップして送信される。
【００５２】
電力監視装置１ｂ，１ｎも、電力監視装置１ａと同様に、制御装置２から送信されたａ１「送信手順に関するプログラム」、ａ２「送信すべき異常関連データの項目」、ａ３「異常と判断する設定値」を受信する。その結果、各電力監視装置１は、データの送受信手順、保存形式、保存場所が共通であるｂ２「設定された異常関連データ」を制御装置２に送信する。
【００５３】
（２）制御装置２の作用
本実施形態の電力監視制御システムの制御装置２の動作を説明する。図２は、制御装置２の制御部２２に内蔵されたコンピュータプログラムのフロー図である。制御部２２は下記の手順にて各部の制御および演算を行う。
【００５４】
（ステップＳ０１：ａ１「送信手順に関するプログラム」を各電力監視装置１に設定する）
送電設備９に設置前の初期状態において、各電力監視装置１の記憶部１３には、電力監視装置１ごとにまちまちであるプログラムが記憶されている。この各電力監視装置１の記憶部１３に記憶されている、初期状態のプログラムに基づき異常データの送信を行った場合、データの送受信手順、保存形式、保存場所が電力監視装置１ごとに異なる。
【００５５】
制御装置２の制御部２２は、送受信部２１を制御し、図４（Ａ）に示すａ１「送信手順に関するプログラム」を電力監視装置１に送信する。このａ１「送信手順に関するプログラム」は、各電力監視装置１に対応した異なるプログラム言語で作成されており、各電力監視装置１に共通したデータの送受信手順、保存形式、保存場所となるように作成されている。送信されたａ１「送信手順に関するプログラム」は、各電力監視装置１の制御部１２ａに設定され、各電力監視装置１は、ａ１「送信手順に関するプログラム」に基づき動作する。この「ステップＳ０１」が、請求項中の「第１のプログラムを送信するステップ」に相当する。
【００５６】
（ステップＳ０２：ｂ２「設定された異常関連データ」を各電力監視装置１から受信する）
制御部２２は、送受信部２１を制御し、各電力監視装置１からｂ２「設定された異常関連データ」を受信する。このデータは、制御装置２からのポーリングに応答する形で、各電力監視装置１から送信される。この「ステップＳ０２」が、請求項中の「受信するステップ」に相当する。
【００５７】
（ステップＳ０３：ｂ２「設定された異常関連データ」を電力監視装置１ごとに記憶する）
制御部２２は、記憶部２３を制御し、ステップＳ０２で受信されたｂ２「設定された異常関連データ」を記憶させる。ｂ２「設定された異常関連データ」は、電力監視装置１ごと、異常データの異常値ごとに配列されｂ３「異常データ」として記憶部２３に記憶される。この「ステップＳ０３」が、請求項中の「記憶させるステップ」に相当する。
【００５８】
（ステップＳ０４：ｂ２「設定された異常関連データ」項目変更の要否判断）
制御部２２は、ｂ２「設定された異常関連データ」の項目の変更が必要であるかの判断を行う。ステップＳ０３で記憶部２３に記憶されたｂ２「設定された異常関連データ」に基づき、作業者により入力部２５から、変更が必要である電力監視装置１と、項目が入力される。作業者によりこれらの入力が行われ、ｂ２「設定された異常関連データ」の項目変更が必要であると判断された場合（Ｓ０４の「ＹＥＳ」）は、ステップＳ０５に移行する。一方、項目変更が必要でないと判断されない場合（Ｓ０４の「ＮＯ」）は、ステップＳ０６に移行する。
【００５９】
（ステップＳ０５：ｂ２「設定された異常関連データ」の項目変更の指示）
制御部２２は、ステップＳ０４にて、ｂ２「設定された異常関連データ」の項目変更が必要であると判断された場合は、送受信部２１を制御し、対象となる電力監視装置１に対しａ２「送信すべき異常関連データの項目」を送信する。ａ２「送信すべき異常関連データの項目」は、電力監視装置１ごとに図４（Ｂ）に示すように記憶部２３に記憶されている。制御装置２は、記憶部２３に記憶されたａ２「送信すべき異常関連データの項目」を送信し、電力監視装置１に対しｂ２「設定された異常関連データ」の項目変更の指示を行う。
【００６０】
（ステップＳ０６：ｂ２「設定された異常関連データ」の設定値変更の要否判断）
制御部２２は、ｂ２「設定された異常関連データ」の設定値の変更が必要であるかの判断を行う。設定値とは、異常と判断するための閾値である。ステップＳ０３で記憶部２３に記憶されたｂ２「設定された異常関連データ」に基づき、作業者により入力部２５から、設定値の変更が必要である電力監視装置１と、設定値が入力される。作業者によりこれらの入力が行われ、ｂ２「設定された異常関連データ」の設定値変更が必要であると判断された場合（Ｓ０６の「ＹＥＳ」）は、ステップＳ０７に移行する。一方、項目変更が必要でないと判断されない場合（Ｓ０６の「ＮＯ」）は、ステップＳ０２に移行する。
【００６１】
（ステップＳ０７：異常データの設定値変更の指示）
制御部２２は、ステップＳ０６にて、ｂ２「設定された異常関連データ」の設定値変更が必要であると判断された場合は、送受信部２１を制御し、対象となる電力監視装置１に対しａ３「異常と判断する設定値」を送信する。ａ３「異常と判断する設定値」は、電力監視装置１ごとに図４（Ｃ）に示すように記憶部２３に記憶されている。制御装置２は、記憶部２３に記憶されたａ３「異常と判断する設定値」を送信し、電力監視装置１に対し異常データの設定値変更の指示を行う。その後、ステップＳ０２に移行する。
【００６２】
（３）端末装置３の作用
本実施形態の電力監視制御システムの端末装置３の動作を説明する。図５は、端末装置３の制御部３２に内蔵されたコンピュータプログラムのフロー図である。制御部３２は下記の手順にて各部の制御および演算を行う。
【００６３】
（ステップＳ１１：ｂ３「異常データ」を制御装置２から受信する）
端末装置３の制御部３２は、送受信部３１を制御し、ｂ３「異常データ」を制御装置２から受信する。このｂ３「異常データ」は、ｂ２「設定された異常関連データ」に基づき、電力監視装置１ごと、異常データの異常値ごとに配列され、制御装置２の記憶部２３に記憶されたデータである。ｂ３「異常データ」は、各電力監視装置１が異常を検出する都度、制御装置２から送信される。
【００６４】
（ステップＳ１２：ｂ３「異常データ」を蓄積して記憶する）
制御部３２は、記憶部３３を制御し、ステップＳ１１で取得したｂ３「異常データ」を記憶させる。ｂ３「異常データ」は、電力監視装置１ごと、異常データの異常値ごとに記憶部３３に蓄積して記憶される。
【００６５】
（ステップＳ１３：ｃ１「異常データに応じた対策案」を選択し出力する）
制御部３２は、出力部３４を制御しｂ３「異常データ」の異常内容に対応したｃ１「異常データに応じた対策案」を、作業者に対し表示する。ｂ３「異常データ」は、電力監視装置１ごと、異常データの異常値ごとに記憶部３３に記憶される。また、記憶部３３には、図６に示すようにｃ１「異常データに応じた対策案」が記憶されている。
【００６６】
例えば、図６に示すように、パラメータである回路基板の消費電流と温度との相関関係に基づきｃ１「異常データに応じた対策案」が記憶されている。端末装置３は、電力監視装置１ごとの、異常データの異常値に対応したｃ１「異常データに応じた対策案」を選択し、出力部３４から出力する。
【００６７】
（ステップＳ１４：ｃ１「異常データに応じた対策案」の修正有無の判断）
制御部３２は、ｃ１「異常データに応じた対策案」の修正が必要であるかの判断を行う。ステップＳ１３で出力部３４から出力されたｃ１「異常データに応じた対策案」を見て、この対策案に修正が必要である場合は、作業者により入力部３５から、ｃ２「対策案に対する修正案」が、入力される。作業者により、この修正案の入力が行われ、ｃ１「異常データに応じた対策案」の修正が必要であると判断された場合（Ｓ１４の「ＹＥＳ」）は、ステップＳ１５に移行する。一方、修正の必要がないと判断されない場合（Ｓ１４の「ＮＯ」）は、ステップＳ１６に移行する。
【００６８】
（ステップＳ１５：ｃ２「対策案に対する修正案」を蓄積して記憶する）
制御部３２は、ステップＳ１４で作業者により入力されたｃ２「対策案に対する修正案」を、記憶部３３に記憶させる。ｃ２「対策案に対する修正案」は、電力監視装置１ごと、異常データの異常値に応じ、記憶部３３に蓄積して記憶される。
【００６９】
（ステップＳ１６：対策案を出力する）
制御部３２は、出力部３４を制御しｂ３「異常データ」の異常内容に対応した対策案を、作業者に対し表示する。出力部３４により表示される対策案は、電力監視装置１ごと、異常データの異常値ごと、ステップＳ１５で更新された記憶部３３から選択される。その後、ステップＳ１１に移行する。
【００７０】
［１−３．効果］
（１）本実施形態によれば、電力監視装置１に複数の電力監視装置で共通の手順にて送信を行うプログラムが設定されており、電力監視装置１はこのプログラムの送信手順により異常関連データを送信し、制御装置２は共通の手順にて受信するので、異なる仕様の電力監視装置１を有していても、異常解析に必要なデータの収集または整理のための時間を短縮することができる電力監視制御システムを提供することができる。
【００７１】
（２）本実施形態によれば、制御装置２から電力監視装置１に対し送信手順に関するプログラムが送信され、電力監視装置１は、送信手順に関するプログラムの送信手順により異常データを送信し、制御装置２は共通の手順にて受信するので、異なる仕様の電力監視装置を有していても、異常解析に必要なデータの収集または整理のための時間を短縮することができる電力監視制御システムを提供することができる。
【００７２】
（３）本実施形態によれば、制御装置２から電力監視装置１に対し送信すべき異常関連データの項目が送信され、電力監視装置１は、送信すべき異常関連データの項目に合致した異常関連データを設定された異常関連データとして制御装置２に送信するので、所望の項目を有するデータを電力監視装置１に送信させることができる。これにより、異常発生時に必要と予想されるデータを、予め電力監視装置１に設定することができ、必要とされるデータ不足に起因する再度のデータ取得による、電力監視制御システムの復旧遅延のリスクを軽減することができる。
【００７３】
（４）本実施形態によれば、制御装置２から電力監視装置１に対し異常と判断する設定値が送信され、電力監視装置１は、この設定値により異常を検出するので、随時適切な検出値を異常値とすることができる。送電設備９や負荷の増設等に応じ、フレキシブルに異常と判断する設定値を変更することができる。
【００７４】
（５）本実施形態によれば、電力監視装置１の異常データに応じた対策案が記憶され、異常データに応じた対策案が選択されるので、作業者はこの対策案を用い、早期に電力監視装置１の異常を解消することができる。
【００７５】
（６）本実施形態によれば、異常データに応じた対策案に対する修正案が、作業者により入力された場合は、修正案が記憶部３３に蓄積して記憶され、対策案の選択肢が増えるので、作業者はこの対策案を用い、フレキシブルに電力監視装置１の異常を解消することができる。
【００７６】
［他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００７７】
（１）上記実施形態では、送電設備９の電気設備制御装置は、主回路機器の制御を行う連動ＰＬＣ（プログラマブルロジックコントロール）盤、系統保護を行う保護継電器盤、系統の電気量を計測する計測盤等の機器としたが、送電設備９の電気設備制御装置は、これに限られない。
【００７８】
（２）上記実施形態では、電力監視装置１は、ｂ２のデータを、ａ１「送信手順に関するプログラム」に基づきｂ１１，ｂ１２，ｂ１３，ｂ１４，ｂ１５の順で送信するものとしたが、送信される（ｂ２）のデータ項目、送信順はこれに限られない。データ項目には、ｂ１１，ｂ１２，ｂ１３，ｂ１４，ｂ１５に含まれない項目が含まれていてもよい。
【００７９】
（３）上記実施形態では、電力監視装置１の異常検出部１１にて検出される異常に関し、検出される異常部分は回路基板であり、検出される異常項目は消費電流および温度であるものとしたが、検出される異常部分および異常項目は、これに限られない。
【００８０】
（４）上記実施形態では、制御装置２の記憶部２３および端末装置３の記憶部３３はそれぞれ制御装置２、端末装置３に内蔵されるものとしたが、例えばメモリカードやＵＳＢメモリのような可搬式の外部記憶媒体であってもよい。
【００８１】
（５）上記実施形態では出力部２４および出力部３４は、表示装置としたが、印刷装置、メモリポート、通信部であってもよい。
【００８２】
（６）上記実施形態では入力部２５および入力部３５は、キーボード等の入力装置としたが、メモリポート、通信部であってもよい。
【００８３】
（７）上記実施形態では各電力監視装置１による異常関連データの送信は、制御装置２からのポーリングに応答する形で行われるものとしたが、各電力監視装置１が異常と判断した時に、各電力監視装置１から自発的に送信されるようにしてもよい。
【００８４】
（８）上記実施形態では各電力監視装置１へのａ１「送信手順に関するプログラム」の設定は、制御装置２からのプログラムを送信することにより行われるものとしたが、各電力監視装置１に対し個別に直接設定されるようにしてもよい。
【００８５】
（９）上記実施形態では、端末装置３におけるｃ１「異常データに応じた対策案」は、消費電流と温度との２つのパラメータの相関関係に基づき、選択されるものとしたが、パラメータの項目内容、項目数はこれに限られない。
【００８６】
（１０）上記実施形態では制御装置２と端末装置３は別装置であるものとしたが、制御装置２に端末装置３の機能を持たせ、制御装置２と端末装置３とを一体の装置とするようにしてもよい。つまり制御装置２の記憶部２３に、ｃ１「異常データに応じた対策案」が記憶されるようにし、電力監視装置１ごとの、異常関連データの異常値に対応したｃ１「異常データに応じた対策案」を選択し、出力部２４から出力するようにしてもよい。また、作業者により制御装置２の入力部２５から、ｃ２「対策案に対する修正案」が、入力され、記憶部２３に蓄積して記憶されるようにしてもよい。
【符号の説明】
【００８７】
１ａ，１ｂ，１ｎ・・・電力監視装置
２・・・制御装置
３・・・端末装置
８・・・通信線
９・・・送電設備
９ａ，９ｂ，９ｎ・・・電気設備制御装置
１１ａ，１１ｂ，１１ｎ・・・異常検出部
１２ａ，１２ｂ，１２ｎ・・・制御部
１３ａ，１３ｂ，１３ｎ・・・記憶部
１４ａ，１４ｂ，１４ｎ・・・送受信部
２１，３１・・・送受信部
２２，３２・・・制御部
２３，３３・・・記憶部
２４，３４・・・出力部
２５，３５・・・入力部
【図１】
2018121167.tif 000003
【図２】
2018121167.tif 000004
【図３】
2018121167.tif 000005
【図４】
2018121167.tif 000006
【図５】
2018121167.tif 000007
【図６】
2018121167.tif 000008